(57)【要約】【課題】誤検出されたセルＩＤを判定し、端末の処理負担を軽減する。【解決手段】基地局１０において、形成部１１は、互いにタイミングがずれたＮ（Ｎは２以上の自然数）個のフレームタイミング候補と複数のセルＩＤ候補との対応関係に基づいて、自身のセルＩＤに対応するフレームタイミング信号を形成する。そして、送信処理部１３は、形成部１１で形成されたフレームタイミング信号に応じた所定タイミングで、自身のセルＩＤに対応する同期信号を、無線送信部１４を介して送信する。【選択図】図１
2014120894.tif 000002
【特許請求の範囲】
【請求項１】
互いにタイミングがずれたＮ（Ｎは２以上の自然数）個のフレームタイミング候補と複数のセルＩＤ候補との対応関係に基づいて、自身のセルＩＤに対応するフレームタイミング信号を形成する形成部と、
前記形成されたフレームタイミング信号に応じた所定タイミングで、自身のセルＩＤに対応する同期信号を送信する送信処理部と、
を具備することを特徴とする基地局。
【請求項２】
前記Ｎ個のフレームタイミング候補は、１／Ｎフレームずつタイミングがずれ、
前記対応関係では、各セルＩＤ候補は、前記各セルＩＤ候補を前記Ｎで除算したときの余りに応じたフレームタイミング候補と対応づけられる、
ことを特徴とする請求項１に記載の基地局。
【請求項３】
前記同期信号は、１／Ｌ（Ｌは自然数）フレーム周期で送信され、
前記Ｌは、前記Ｎよりも小さい、
ことを特徴とする請求項２に記載の基地局。
【請求項４】
受信信号と、各同期信号候補が異なるセルＩＤ候補と対応する複数の同期信号候補のそれぞれとに基づいて、フレームタイミング及びセルＩＤを検出する検出部と、
互いにタイミングがずれたＮ（Ｎは２以上の自然数）個のフレームタイミング候補と複数のセルＩＤ候補との対応関係を、前記検出されたフレームタイミング及びセルＩＤが満たさない場合、前記検出されたセルＩＤが誤りであると判定する判定部と、
を具備することを特徴とする端末。
【請求項５】
前記Ｎ個のフレームタイミング候補は、１／Ｎフレームずつタイミングがずれ、
前記対応関係では、各セルＩＤ候補は、前記各セルＩＤ候補を前記Ｎで除算したときの余りに応じたフレームタイミング候補と対応づけられる、
ことを特徴とする請求項４に記載の端末。
【請求項６】
前記受信信号は、同期信号を１／Ｌ（Ｌは自然数）フレーム周期で有し、
前記Ｌは、前記Ｎよりも小さい、
ことを特徴とする請求項５に記載の端末。
【請求項７】
互いにタイミングがずれたＮ（Ｎは２以上の自然数）個のフレームタイミング候補と複数のセルＩＤ候補との対応関係に基づいて、基地局のセルＩＤに対応するフレームタイミング信号を形成し、
前記形成されたフレームタイミング信号に応じた所定タイミングで、前記基地局のセルＩＤに対応する同期信号を送信する、
ことを特徴とする同期信号送信方法。
【請求項８】
受信信号と、各同期信号候補が異なるセルＩＤ候補と対応する複数の同期信号候補のそれぞれとに基づいて、フレームタイミング及びセルＩＤを検出し、
互いにタイミングがずれたＮ（Ｎは２以上の自然数）個のフレームタイミング候補と複数のセルＩＤ候補との対応関係を、前記検出されたフレームタイミング及びセルＩＤが満たさない場合、前記検出されたセルＩＤが誤りであると判定する、
ことを特徴とする誤検出判定方法。
【発明の詳細な説明】
【技術分野】
【０００１】
本発明は、基地局、端末、同期信号送信方法、及び誤検出判定方法に関する。
【背景技術】
【０００２】
無線通信システムでは、従来から、端末が接続する基地局を検出する処理、つまり、セルサーチが行われている。また、端末の移動に伴い、接続する基地局を切り替えるハンドオーバが行われている。ハンドオーバ先の基地局を検出する場合にも、セルサーチが行われる。
【０００３】
セルサーチでは、端末は、受信信号と同期信号レプリカとの相関値を算出し、相関値のピークに基づいてフレームタイミングを検出し、相関値の大きい同期信号レプリカに対応するセルＩＤを特定する。すなわち、基地局からセルＩＤに対応する同期信号が送信されてくるので、端末は、同期信号レプリカを順次変更して相関値を算出し、算出された相関値を用いて、フレームタイミング及びセルＩＤを検出することができる。
【０００４】
特に、３ＧＰＰ  ＬＴＥ（3rd  Generation  Partnership  Project  Radio  Access  Network  Long  Term  Evolution）に対応する無線通信システムでは、同期信号として、第１同期チャネル（ＰＳＣ：Primary  Synchronization  Channel）及び第２同期チャネル（ＳＳＣ：Secondary  Synchronization  Channel）のコード（シグナル）が利用される。
【０００５】
ＰＳＣ及びＳＳＣは、各セルにおいて５ｍｓごとに周期的に送信される。
【０００６】
そして、まず、システムで定義された各中心周波数（キャリア周波数）候補の受信信号と、所定数の種類のＰＳＣ系列のそれぞれとの相関値が時間領域で算出される。ここで、受信信号に含まれるＰＳＣと一致するＰＳＣ系列から得られる相関値は、５ｍｓ毎にピークを有する。このため、相関ピークを検出することによって、接続すべきセルの、キャリア周波数、ＰＳＣの受信タイミング（５ｍｓレベルの時間同期）、及び、セルＩＤグループが検出される。
【０００７】
そして、検出されたＰＳＣの受信タイミングに基づいて、ＳＳＣの受信タイミングでの受信信号とＳＳＣ系列との相関値が算出される。そして、最大の相関値をとるＳＳＣ系列から、１０ｍｓのフレームタイミング及びセルＩＤが検出される。
【先行技術文献】
【特許文献】
【０００８】
【特許文献１】特開２０１０−４５５４５号公報
【発明の概要】
【発明が解決しようとする課題】
【０００９】
しかしながら、セルＩＤが誤検出される場合がある。誤検出には、主に、２種類あり、それは、（１）端末の周辺に存在していない基地局のセルＩＤが検出されてしまうこと、（２）端末の周辺に位置している基地局のセルＩＤにも関わらず検出されないことである。
【００１０】
特に（１）の誤検出の場合、その後に、周辺に存在しない基地局のセルＩＤを用いた処理（例えば、受信レベル測定に関するシーケンス）が無駄に実行されてしまう。この結果、端末の処理負担が増加し、端末のリソースが無駄に消費されてしまう。
【００１１】
開示の技術は、上記に鑑みてなされたものであって、誤検出されたセルＩＤを判定し、端末の処理負担を軽減できる、基地局、端末、同期信号送信方法、及び誤検出判定方法を提供することを目的とする。
【課題を解決するための手段】
【００１２】
開示の態様では、互いにタイミングがずれたＮ（Ｎは２以上の自然数）個のフレームタイミング候補と複数のセルＩＤ候補との対応関係に基づいて、自身のセルＩＤに対応するフレームタイミング信号を形成する形成部と、前記形成されたフレームタイミング信号に応じた所定タイミングで、自身のセルＩＤに対応する同期信号を送信する送信処理部と、を具備する。
【発明の効果】
【００１３】
開示の態様によれば、誤検出されたセルＩＤを判定し、端末の処理負担を軽減できる。
【図面の簡単な説明】
【００１４】
【図１】図１は、実施例１の基地局の一例を示すブロック図である。
【図２】図２は、実施例１の形成部の一例を示すブロック図である。
【図３】図３は、実施例１の端末の一例を示すブロック図である。
【図４】図４は、実施例１の基地局のフレームタイミングの説明に供する図である。
【図５】図５は、実施例２の基地局の一例を示すブロック図である。
【図６】図６は、実施例２の端末の一例を示すブロック図である。
【図７】図７は、基地局のハードウェア構成を示す図である。
【図８】図８は、端末のハードウェア構成を示す図である。
【発明を実施するための形態】
【００１５】
以下に、本願の開示する基地局、端末、同期信号送信方法、及び誤検出判定方法の実施形態を図面に基づいて詳細に説明する。なお、この実施形態により本願の開示する基地局、端末、同期信号送信方法、及び誤検出判定方法が限定されるものではない。また、実施形態において同一の機能を有する構成には同一の符号を付し、重複する説明は省略される。
【００１６】
［実施例１］
［基地局の構成］
図１は、実施例１の基地局の一例を示すブロック図である。図１において、基地局１０は、形成部１１と、記憶部１２と、送信処理部１３と、無線送信部１４とを有する。
【００１７】
形成部１１は、互いにタイミングがずれたＮ（Ｎは２以上の自然数）個のフレームタイミング候補と複数のセルＩＤ候補との対応関係に基づいて、自身のセルＩＤに対応するフレームタイミング信号を形成する。Ｎ個のフレームタイミング候補は、１／Ｎフレームずつタイミングがずれている。また、例えば、対応関係では、各セルＩＤ候補は、各セルＩＤ候補をＮで除算したときの余りに応じたフレームタイミング候補と対応づけられている。
【００１８】
具体的には、形成部１１は、図２に示すように、基準信号生成部２１と、シフト部２２とを有する。
【００１９】
基準信号生成部２１は、基準タイミング信号を形成し、シフト部２２へ出力する。基準タイミング信号は、基準となるフレームタイミング信号に対応し、例えば、Ｎで除算したときの余りがゼロとなるセルＩＤに対応するフレームタイミング信号に対応する。
【００２０】
シフト部２２は、基準タイミング信号を自身のセルＩＤに対応するシフト量位相シフトさせることにより、フレームタイミング信号を形成する。具体的には、シフト部２２は、自身のセルＩＤをＮで除算したときの余りとオフセット量の１単位である１／Ｎフレームとの乗算結果分、基準タイミング信号を位相シフトする。なお、自身のセルＩＤは、記憶部１２に記憶されており、基準信号生成部２１は、記憶部１２から自身のセルＩＤを読み取る。
【００２１】
こうして形成されたフレームタイミング信号は、送信処理部１３へ出力される。
【００２２】
送信処理部１３は、形成部１１で形成されたフレームタイミング信号に応じた所定タイミングで、自身のセルＩＤに対応する同期信号を、周期的に無線送信部１４を介して送信する。同期信号は、Ｍ（Ｍは自然数）種類の候補を有している。送信処理部１３は、自身のセルＩＤに対応する同期信号として、自身のセルＩＤをＭで除算した余りに応じた候補を用いる。
【００２３】
無線送信部１４は、送信処理部１３から受け取る同期信号に所定の無線送信処理、つまりデジタルアナログ変換、アップコンバート等を施して、アンテナを介して送信する。
【００２４】
［端末の構成］
図３は、実施例１の端末の一例を示すブロック図である。図３において、端末３０は、無線受信部３１と、検出部３２と、記憶部３３と、判定部３４と、レベル検出部３５とを有する。
【００２５】
無線受信部３１は、基地局１０から送信された信号をアンテナを介して受信し、受信信号に所定の無線受信処理、つまりダウンコンバート、アナログデジタル変換等を施して、検出部３２へ出力する。
【００２６】
検出部３２は、無線受信部３１から受け取る受信信号と、各同期信号候補が異なるセルＩＤ候補と対応する、複数の同期信号候補のそれぞれとに基づいて、フレームタイミング及びセルＩＤを検出する。なお、３ＧＰＰ  ＬＴＥに対応する無線通信システムの場合、検出部３２は、まず、キャリア周波数、ＰＳＣの受信タイミング（５ｍｓレベルの時間同期）、及び、セルＩＤグループを検出する。そして、検出部３２は、検出されたＰＳＣの受信タイミングに基づいて、ＳＳＣの受信タイミングでの受信信号とＳＳＣ系列との相関値を算出し、算出結果に基づいて、フレームタイミング及びセルＩＤを検出する。すなわち、３ＧＰＰ  ＬＴＥに対応する無線通信システムの場合、同期信号には、ＰＳＣ及びＳＳＣが含まれる。そして、ＰＳＣの種類の数Ｍは、３である。
【００２７】
そして、検出部３２は、検出されたフレームタイミング及びセルＩＤを記憶部３３に記憶させる。
【００２８】
記憶部３３は、検出部３２で検出されたフレームタイミング及びセルＩＤを記憶する。また、記憶部３３は、端末３０が既に接続しているセル、つまりサービングセルのセルＩＤ及びフレームタイミングを記憶している。
【００２９】
判定部３４は、互いにタイミングがずれたＮ（Ｎは２以上の自然数）個のフレームタイミング候補と複数のセルＩＤ候補との対応関係を、検出部３２で検出されたフレームタイミング及びセルＩＤが満たさない場合、検出されたセルＩＤが誤りであると判定する。ここでの対応関係は、基地局１０で用いられるものと同じである。
【００３０】
具体的には、判定部３４は、記憶部３３から、サービングセルのセルＩＤ及びフレームタイミングと、検出部３２で検出されたフレームタイミング及びセルＩＤとを読み出す。
【００３１】
そして、判定部３４は、サービングセルのフレームタイミングを基準として対応関係に基づいて求められる検出セルＩＤに対応するフレームタイミングと、検出部３２で検出されたフレームタイミングとが一致する場合、検出されたセルＩＤが正しいと判定する。一方、判定部３４は、サービングセルのフレームタイミングを基準として対応関係に基づいて求められる検出セルＩＤに対応するフレームタイミングと、検出部３２で検出されたフレームタイミングとが一致しない場合、検出されたセルＩＤが誤りであると判定する。換言すれば、判定部３４は、サービングセルのフレームタイミングと検出部３２で検出されたフレームタイミングとの差分が、サービングセルのセルＩＤと検出部３２で検出されたセルＩＤとの差分に対応する場合、検出されたセルＩＤが正しいと判定する。一方、判定部３４は、サービングセルのフレームタイミングと検出部３２で検出されたフレームタイミングとの差分が、サービングセルのセルＩＤと検出部３２で検出されたセルＩＤとの差分に対応しない場合、検出されたセルＩＤが誤りであると判定する。すなわち、サービングセルのセルＩＤ及びフレームタイミングとの相対的な関係によって、検出部３２で検出されたフレームタイミング及びセルＩＤが上記した対応関係を満たしているか否かが判定される。そして、その判定結果によって、検出されたセルＩＤが正しいか否か判定される。
【００３２】
そして、判定部３４は、正しいと判定されたセルＩＤに対応する基地局１０から送信された信号の受信レベル測定を指示する指示信号をレベル検出部３５へ出力する。一方、判定部３４は、誤りと判定されたセルＩＤに対応する基地局１０から送信された信号の受信レベル測定を指示する指示信号をレベル検出部３５へ出力しない。これにより、周辺に存在しない基地局１０のセルＩＤを用いた処理が無駄に実行されてしまうことを防止できる。この結果、端末３０の処理負担が増加し、端末３０のリソースが無駄に消費されてしまうことを防止できる。
【００３３】
レベル検出部３５は、判定部３４からの指示信号に従って、当該指示信号に対応するセルＩＤに対応する基地局１０から送信された信号の受信レベル測定を実行する。
【００３４】
［基地局及び端末の動作］
以上の構成を有する基地局１０及び端末３０の処理動作について説明する。
【００３５】
基地局１０において形成部１１は、互いにタイミングがずれたＮ（Ｎは２以上の自然数）個のフレームタイミング候補と複数のセルＩＤ候補との対応関係に基づいて、自身のセルＩＤに対応するフレームタイミング信号を形成する。
【００３６】
図４は、実施例１の基地局のフレームタイミングの説明に供する図である。図４では、説明を簡単にするために、Ｎ＝２の場合が示されている。図４では、基地局１０として、ｅＮＢ１−４が示されている。ここで、「セル」とは、各基地局１０がカバーするエリア、つまり各基地局１０から送信された信号が到達するエリア、又は、当該エリアが分割された分割エリア（つまり、所謂セクタ）と、周波数とによって規定される。ただし、ここでは、説明を簡単にするために、セルと基地局とが１対１に対応するものとして説明する。そして、図４では、セルＩＤをＮの値である２で割った余りがゼロであるｅＮＢ２，４が同じグループとされ、セルＩＤをＮの値である２で割った余りが１であるｅＮＢ１，３が同じグループとされている。そして、同じグループのｅＮＢは、フレームタイミングが同じである。
【００３７】
そして、送信処理部１３は、形成部１１で形成されたフレームタイミング信号に応じた所定タイミングで、自身のセルＩＤに対応する同期信号を、周期的に無線送信部１４を介して送信する。
【００３８】
一方、端末３０において検出部３２は、受信信号と、各同期信号候補が異なるセルＩＤ候補と対応する、複数の同期信号候補のそれぞれとに基づいて、フレームタイミング及びセルＩＤを検出する。
【００３９】
そして、判定部３４は、互いにタイミングがずれたＮ（Ｎは２以上の自然数）個のフレームタイミング候補と複数のセルＩＤ候補との対応関係を、検出部３２で検出されたフレームタイミング及びセルＩＤが満たさない場合、検出されたセルＩＤが誤りであると判定する。
【００４０】
具体的には、判定部３４は、サービングセルのフレームタイミングと検出部３２で検出されたフレームタイミングとの差分が、サービングセルのセルＩＤと検出部３２で検出されたセルＩＤとの差分に対応する場合、検出されたセルＩＤが正しいと判定する。例えば、図４に示す例において、検出部３２で検出されたセルＩＤが３であり且つ検出されたフレームタイミングがセルＩＤ＝１のサービングセルと同じである場合には、その検出されたセルＩＤは正しいと判定される。一方、検出部３２で検出されたセルＩＤが３であり且つ検出されたフレームタイミングがセルＩＤ＝１のサービングセルと異なる場合、例えば、セルＩＤ＝２のセルと同じフレームタイミングである場合には、その検出されたセルＩＤは誤りと判定される。なお、誤差を考慮するために、図４に示すような誤差範囲が設けられてもよい。すなわち、判定部３４は、検出部３２で検出されたフレームタイミングが、サービングセルのフレームタイミングを基準として検出セルＩＤと対応関係とに基づいて求められるフレームタイミングを中心とする誤差範囲内にあれば、検出セルＩＤが正しいと判定する。
【００４１】
詳細には、次のような判定処理が行われる。
【００４２】
まず、１フレームは１０ミリ秒であるので、上記したオフセット量は、次の式（１）で求められる。
T-shift  ＝  (Cell-ID  %  N-grp)  ×  10／N-grp  [ms]・・・（１）
ここで、Cell-IDはセルID、%は剰余演算子を示す。
【００４３】
端末３０による誤検出判定処理は、例えば以下のアルゴリズムで表される。
FT-judge  ＝  FT-srv  ＋  ((Cid-det  %  N-grp)  −  (Cid-srv  %  N-grp)  ×  10／N-grp)  [ms]
If  (  |FT-det  −  FT-judge|  ＞  10／(2N-grp)  )
Then  
C-err  ＝  true
Else  
C-err  ＝  false
Endif
ここで、N-grpはグループ数を意味する。また、FT-srvは、サービングセルのフレームタイミングを意味し、Cid-srvは、サービングセルのセルＩＤを意味する。また、FT-detは、検出されたセルのフレームタイミングを意味し、Cid-detは、検出されたセルのセルＩＤを意味し、C-errは、誤検出判定結果（trueの場合に誤検出を意味する）を意味する。
【００４４】
以上のように本実施例によれば、基地局１０において、形成部１１は、互いにタイミングがずれたＮ（Ｎは２以上の自然数）個のフレームタイミング候補と複数のセルＩＤ候補との対応関係に基づいて、自身のセルＩＤに対応するフレームタイミング信号を形成する。そして、送信処理部１３は、形成部１１で形成されたフレームタイミング信号に応じた所定タイミングで、自身のセルＩＤに対応する同期信号を、周期的に無線送信部１４を介して送信する。
【００４５】
こうすることで、端末３０において、検出部３２で検出されたフレームタイミング及びセルＩＤが上記対応関係を満たすか否かに基づいて、検出されたセルＩＤの正誤を判定することができる。
【００４６】
ここで、同期信号は、Ｍ（Ｍは自然数）種類の候補を有している。同じグループの複数のセルに対して割り当てられる同期信号は、できるだけ互いに異なっていることが好ましい。これは、同種の同期信号が同じタイミングで送信されることで生じる干渉を低減するためである。このため、Ｍは、Ｎより小さいことが好ましい。さらに好ましくは、ＭとＮとは、互いに素の関係である。
【００４７】
また、同期信号は、１／Ｌ（Ｌは自然数）フレーム周期で送信される。特に、３ＧＰＰ  ＬＴＥに対応する無線通信システムの場合、Ｌは、２である。同期信号は、互いに干渉を起こさないように、できるだけ異なるタイミングで送信されることが好ましい。このため、Ｌは、Ｎよりも小さいことが好ましい。さらに好ましくは、ＮとＬとは、互いに素の関係である。
【００４８】
さらに、同期信号の種類及び送信周期の両方を考慮すると、ＬとＭとの乗算結果と、Ｎとは、互いに素の関係であることが好ましい。
【００４９】
なお、Ｎ＝５とした場合には、Ｎ＝１の場合と比べて、誤検出の軽減率を約８０パーセントとすることができる。
【００５０】
［実施例２］
実施例２では、フレームタイミング候補の数Ｎを可変とする。
【００５１】
図５は、実施例２の基地局の一例を示すブロック図である。図５において、基地局４０は、候補数制御部４１を有する。
【００５２】
候補数制御部４１は、フレームタイミング候補の数Ｎを決定し、形成部１１及び送信処理部１３へ出力する。例えば、候補数制御部４１は、自身の置かれた環境における伝搬遅延が大きい程、Ｎを小さくする。すなわち、Ｎが大きくなる程、上記したオフセット量は小さくなる。従って、検出されたフレームタイミングが、実際のフレームタイミングと異なってしまう状況が生じ易い。このため、自身の置かれた環境における伝搬遅延が大きい程Ｎを小さくすることにより、フレームタイミングの誤検出を低減することができる。
【００５３】
形成部１１は、候補数制御部４１から受け取る、フレームタイミング候補の数Ｎを用いて、自身のセルＩＤに対応するフレームタイミング信号を形成する。
【００５４】
送信処理部１３は、候補数制御部４１から受け取る、フレームタイミング候補の数Ｎを無線送信部１４を介して送信する。このとき、フレームタイミング候補の数Ｎは、ＢＣＣＨ（Broadcast  Control  Channel）によって送信されてもよいし、他の制御チャネル又はデータチャネルによって送信されてもよい。
【００５５】
図６は、実施例２の端末の一例を示すブロック図である。図６において、端末５０は、候補数情報取得部５１を有する。
【００５６】
候補数情報取得部５１は、受信信号から、フレームタイミング候補の数Ｎを抽出し、判定部３４へ出力する。
【００５７】
判定部３４は、候補数情報取得部５１から受け取った、フレームタイミング候補の数Ｎを用いて、検出部３２で検出されたセルＩＤの正誤を判定する。
【００５８】
以上のように実施例２によれば、基地局４０において候補数制御部４１は、フレームタイミング候補の数Ｎを決定する。そして、形成部１１は、候補数制御部４１から受け取る、フレームタイミング候補の数Ｎを用いて、自身のセルＩＤに対応するフレームタイミング信号を形成する。
【００５９】
また、端末５０において候補数情報取得部５１は、受信信号から、フレームタイミング候補の数Ｎを抽出し、判定部３４へ出力する。そして、判定部３４は、候補数情報取得部５１から受け取った、フレームタイミング候補の数Ｎを用いて、検出部３２で検出されたセルＩＤの正誤を判定する。
【００６０】
こうすることで、フレームタイミング候補の数Ｎを可変にすることができるので、より柔軟な制御が可能となる。
【００６１】
［他の実施例］
［１］実施例１及び実施例２の基地局及び端末は、次のようなハードウェア構成により実現することができる。
【００６２】
図７は、基地局のハードウェア構成を示す図である。図７に示すように、基地局１００は、ハードウェアの構成要素として、ＲＦ（Ｒａｄｉｏ  Ｆｒｅｑｕｅｎｃｙ）回路１０１と、ＣＰＵ（Ｃｅｎｔｒａｌ  Ｐｒｏｃｅｓｓｉｎｇ  Ｕｎｉｔ）１０２と、メモリ１０３と、ネットワークＩＦ（Ｉｎｔｅｒ  Ｆａｃｅ）１０４とを有する。メモリ１０３は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。記憶部１２は、メモリ１０３により実現される。形成部１１と、送信処理部１３と、候補数制御部４１とは、例えばＣＰＵ１０２等の集積回路により実現される。無線送信部１４は、ＲＦ回路１０１により実現される。
【００６３】
図８は、端末のハードウェア構成を示す図である。図８に示すように、端末２００は、ハードウェア的には、ＲＦ回路２０１と、ＣＰＵ２０２と、メモリ２０３とを有する。メモリ２０３は、例えば、ＳＤＲＡＭ等のＲＡＭ、ＲＯＭ、フラッシュメモリにより構成される。記憶部３３は、メモリ２０３により実現される。検出部３２と、判定部３４と、レベル検出部３５と、候補数情報取得部５１とは、例えばＣＰＵ２０２等の集積回路により実現される。
【００６４】
［２］また、実施例１及び実施例２で説明した各種の処理は、予め用意されたプログラムをコンピュータで実行することで実現できる。すなわち、形成部１１と、送信処理部１３と、候補数制御部４１とによって実行される各処理に対応するプログラムがメモリ１０３に記録され、各プログラムがＣＰＵ１０２に読み出されてプロセスとして機能してもよい。また、検出部３２と、判定部３４と、レベル検出部３５と、候補数情報取得部５１とによって実行される各処理に対応するプログラムがメモリ２０３に記録され、各プログラムがＣＰＵ２０２に読み出されてプロセスとして機能してもよい。
【００６５】
以上、本実施例を含む実施の形態に関し、更に以下の付記を開示する。
【００６６】
（付記１）互いにタイミングがずれたＮ（Ｎは２以上の自然数）個のフレームタイミング候補と複数のセルＩＤ候補との対応関係に基づいて、自身のセルＩＤに対応するフレームタイミング信号を形成する形成部と、
前記形成されたフレームタイミング信号に応じた所定タイミングで、自身のセルＩＤに対応する同期信号を送信する送信処理部と、
を具備することを特徴とする基地局。
【００６７】
（付記２）前記Ｎ個のフレームタイミング候補は、１／Ｎフレームずつタイミングがずれ、
前記対応関係では、各セルＩＤ候補は、前記各セルＩＤ候補を前記Ｎで除算したときの余りに応じたフレームタイミング候補と対応づけられる、
ことを特徴とする付記１に記載の基地局。
【００６８】
（付記３）前記同期信号は、Ｍ（Ｍは自然数）種類の候補を有し、
前記Ｍは、前記Ｎより小さい、
ことを特徴とする付記２に記載の基地局。
【００６９】
（付記４）前記Ｍと前記Ｎとは、互いに素の関係にある、
ことを特徴とする付記３に記載の基地局。
【００７０】
（付記５）前記同期信号は、１／Ｌ（Ｌは自然数）フレーム周期で送信され、
前記Ｌは、前記Ｎよりも小さい、
ことを特徴とする付記２に記載の基地局。
【００７１】
（付記６）前記Ｎと前記Ｌとは、互いに素の関係にある、
ことを特徴とする付記５に記載の基地局。
【００７２】
（付記７）前記同期信号は、Ｍ（Ｍは自然数）種類の候補を有し、且つ、１／Ｌ（Ｌは自然数）フレーム周期で送信され、
前記Ｎと、前記Ｌと前記Ｍとの乗算結果とは、互いに素の関係にある、
ことを特徴とする付記２に記載の基地局。
【００７３】
（付記８）前記フレームタイミング候補の数Ｎを決定する制御部を有し、
前記送信処理部は、前記決定されたフレームタイミング候補の数Ｎを送信する、
ことを特徴とする付記１に記載の基地局。
【００７４】
（付記９）前記制御部は、伝搬遅延の大きさに基づいて、前記フレームタイミング候補の数Ｎを決定する、
ことを特徴とする付記８に記載の基地局。
【００７５】
（付記１０）受信信号と、各同期信号候補が異なるセルＩＤ候補と対応する複数の同期信号候補のそれぞれとに基づいて、フレームタイミング及びセルＩＤを検出する検出部と、
互いにタイミングがずれたＮ（Ｎは２以上の自然数）個のフレームタイミング候補と複数のセルＩＤ候補との対応関係を、前記検出されたフレームタイミング及びセルＩＤが満たさない場合、前記検出されたセルＩＤが誤りであると判定する判定部と、
を具備することを特徴とする端末。
【００７６】
（付記１１）前記Ｎ個のフレームタイミング候補は、１／Ｎフレームずつタイミングがずれ、
前記対応関係では、各セルＩＤ候補は、前記各セルＩＤ候補を前記Ｎで除算したときの余りに応じたフレームタイミング候補と対応づけられる、
ことを特徴とする付記１０に記載の端末。
【００７７】
（付記１２）前記複数の同期信号候補は、Ｍ（Ｍは自然数）種類の候補を有し、
前記Ｍは、前記Ｎより小さい、
ことを特徴とする付記１１に記載の端末。
【００７８】
（付記１３）前記Ｍと前記Ｎとは、互いに素の関係にある、
ことを特徴とする付記１２に記載の端末。
【００７９】
（付記１４）前記受信信号は、同期信号を１／Ｌ（Ｌは自然数）フレーム周期で有し、
前記Ｌは、前記Ｎよりも小さい、
ことを特徴とする付記１１に記載の端末。
【００８０】
（付記１５）前記Ｎと前記Ｌとは、互いに素の関係にある、
ことを特徴とする付記１４に記載の端末。
【００８１】
（付記１６）前記複数の同期信号候補は、Ｍ（Ｍは自然数）種類の候補を有し、
前記受信信号は、同期信号を１／Ｌ（Ｌは自然数）フレーム周期で有し、
前記Ｎと、前記Ｌと前記Ｍとの乗算結果とは、互いに素の関係にある、
ことを特徴とする付記１１に記載の端末。
【００８２】
（付記１７）前記受信信号から、基地局で決定された、フレームタイミング候補の数Ｎを抽出する抽出部を有し、
前記判定部は、前記抽出されたフレームタイミング候補の数Ｎを用いて、前記検出されたセルＩＤの正誤を判定する、
ことを特徴とする付記１０に記載の端末。
【００８３】
（付記１８）互いにタイミングがずれたＮ（Ｎは２以上の自然数）個のフレームタイミング候補と複数のセルＩＤ候補との対応関係に基づいて、基地局のセルＩＤに対応するフレームタイミング信号を形成し、
前記形成されたフレームタイミング信号に応じた所定タイミングで、前記基地局のセルＩＤに対応する同期信号を送信する、
ことを特徴とする同期信号送信方法。
【００８４】
（付記１９）受信信号と、各同期信号候補が異なるセルＩＤ候補と対応する複数の同期信号候補のそれぞれとに基づいて、フレームタイミング及びセルＩＤを検出し、
互いにタイミングがずれたＮ（Ｎは２以上の自然数）個のフレームタイミング候補と複数のセルＩＤ候補との対応関係を、前記検出されたフレームタイミング及びセルＩＤが満たさない場合、前記検出されたセルＩＤが誤りであると判定する、
ことを特徴とする誤検出判定方法。
【符号の説明】
【００８５】
１０，４０  基地局
１１  形成部
１２，３３  記憶部
１３  送信処理部
１４  無線送信部
２１  基準信号生成部
２２  シフト部
３０，５０  端末
３１  無線受信部
３２  検出部
３４  判定部
３５  レベル検出部
４１  候補数制御部
５１  候補数情報取得部
【図１】
2014120894.tif 000003
【図２】
2014120894.tif 000004
【図３】
2014120894.tif 000005
【図４】
2014120894.tif 000006
【図５】
2014120894.tif 000007
【図６】
2014120894.tif 000008
【図７】
2014120894.tif 000009
【図８】
2014120894.tif 000010